(57)【要約】 【課題】  カバーを利用したサブハウジングの半挿入検知並びに二重係止を確実に行う分割コネクタを提供する【解決手段】  本願の分割コネクタにおけるカバー７０は、その前端縁に突出して設けられたロックアーム７２が、フレーム１０の後方位置から、サブハウジング４０の挿入方向に沿って退避位置にセットされた後、サブハウジング４０の挿入方向と直交する方向に摺動することで、フレーム１０側に設けられたロック受け部１８と係止し、正規装着位置にロックされる。このときカバー７０の内面に設けられた係止部７１は、摺動途中において、仮にサブハウジング４０が半挿入状態にあったとしても、サブハウジング４０のガイド面４２Ｂに当接して、正規位置まで押し込み可能であるとともに二重係止可能となっている。【選択図】  図５
2006185771.tif 000002
【特許請求の範囲】
【請求項１】
フレームに形成された収容室内には、電線の端末に固着された端子金具が装着されたサブハウジングが後面側から挿入可能とされ、前記収容室には、前記サブハウジングが正規位置まで挿入された場合に弾性的に係止して抜け止めする抜止部が設けられるとともに、前記フレームの後面を覆ってカバーが装着される分割コネクタにおいて、
前記カバーは、前記フレームの後面に沿って前記サブハウジングの挿入方向と交差する方向に摺動して装着され、正規装着位置に至ったところでロック機構によりロックされるとともに、前記サブハウジングが前記フレームに対して前記正規位置の状態にあるときには、前記カバーの摺動時に前記サブハウジングの後面に沿って移動し、前記正規装着位置に至ると、前記サブハウジングの後面に係止するが、前記サブハウジングが前記フレームに対して半挿入の状態にあるときには、このサブハウジングと干渉する係止部が設けられていることを特徴とする分割コネクタ。
【請求項２】
前記サブハウジングが半挿入状態にあって、前記カバーの摺動装着途上で前記係止部が前記サブハウジングの後端部に突き当てられる場合における両突当面の少なくとも一方が、前記係止部の移動力により前記サブハウジングを正規挿入位置まで押し込み可能とするテーパ状のガイド面とされていることを特徴とする請求項１記載の分割コネクタ。
【請求項３】
前記カバーは、初めに前記フレームの後面における前記正規装着位置よりも前記摺動方向の後方に退避した位置に向けて、前記サブハウジングの挿入方向と同方向に装着され、その後に、前記フレームの後面上を前記正規装着位置に向けて前記サブハウジングの挿入方向と交差する方向に摺動して装着されるようになっていることを特徴とする請求項１または請求項２記載の分割コネクタ。
【発明の詳細な説明】
【技術分野】
【０００１】
本発明は、フレーム内にサブハウジングを収容した分割コネクタに関する。
【背景技術】
【０００２】
従来、フレーム内にサブハウジングを収容した分割コネクタ、並びにフレームの後面に被着した電線カバーを利用してサブハウジングを二重係止するものは公知である（例えば、特許文献１参照）。  
より具体的には、フレームには複数の収容室が形成される一方、電線の端末に固着された端子金具が装着された同数のサブハウジングが準備され、各サブハウジングが対応する収容室内に後方から挿入されて、正規位置まで挿入されたところで、収容室に設けられた抜止片が弾性的に係止して抜け止めされる。また、フレームの後面側にカバーが被せられることで、各サブハウジングから引き出された電線が一纏めにまとめられて所定方向に導出されるようになっているが、このカバーの内面側に、各サブハウジングの後面に当接可能な当接部が設けられ、カバーが正規に装着されると、当接部がサブハウジングの後面に当たることでこれを抜け方向に二重係止し、また半挿入状態のサブハウジングがあると、当接部がサブハウジングを正規挿入位置まで押し込んだ上で、これを二重係止するようになっている。
【特許文献１】特開２００１−１９６１３２公報
【発明の開示】
【発明が解決しようとする課題】
【０００３】
しかるに上記従来のものは、カバーがフレームの後面に対してサブハウジングの挿入方向と同方向に装着され、いずれか一方に設けられたロック片が、相手側の係止突部に弾性的に係止されてロックされるようになっている。このようなロック片は、係止突部を乗り越えて係止する際に、カバー装着方向に対して直交する向きに揺動軌跡を描いて撓み変形するため、係止後には、係止突部との間に隙間が発生するのを避けることができない。したがってカバーが装着されてロックされたとしても、カバーすなわち当接部が正規よりも後方に留まる可能性があり、サブハウジングの後面との間に隙間ができて、二重係止に関して信頼性に劣る嫌いがあった。また例えばサブハウジングが半挿入状態にあったとしても、当接部がサブハウジングの後面に当たることなく、半挿入状態に留め置かれるおそれもあった。  
本発明は上記のような事情に基づいて完成されたものであって、その目的は、カバーを利用したサブハウジングの半挿入検知並びに二重係止を確実に行うところにある。
【課題を解決するための手段】
【０００４】
上記の目的を達成するための手段として、請求項１の発明は、フレームに形成された収容室内には、電線の端末に固着された端子金具が装着されたサブハウジングが後面側から挿入可能とされ、前記収容室には、前記サブハウジングが正規位置まで挿入された場合に弾性的に係止して抜け止めする抜止部が設けられるとともに、前記フレームの後面を覆ってカバーが装着される分割コネクタにおいて、前記カバーは、前記フレームの後面に沿って前記サブハウジングの挿入方向と交差する方向に摺動して装着され、正規装着位置に至ったところでロック機構によりロックされるとともに、前記サブハウジングが前記フレームに対して前記正規位置の状態にあるときには、前記カバーの摺動時に前記サブハウジングの後面に沿って移動し、前記正規装着位置に至ると、前記サブハウジングの後面に係止するが、前記サブハウジングが前記フレームに対して半挿入の状態にあるときには、このサブハウジングと干渉する係止部が設けられている構成としたところに特徴を有する。
【０００５】
請求項２の発明は、請求項１に記載のものにおいて、前記サブハウジングが半挿入状態にあって、前記カバーの摺動装着途上で前記係止部が前記サブハウジングの後端部に突き当てられる場合における両突当面の少なくとも一方が、前記係止部の移動力により前記サブハウジングを正規挿入位置まで押し込み可能とするテーパ状のガイド面とされているところに特徴を有する。
【０００６】
請求項３の発明は、請求項１または請求項２に記載のものにおいて、前記カバーは、初めに前記フレームの後面における前記正規装着位置よりも前記摺動方向の後方に退避した位置に向けて、前記サブハウジングの挿入方向と同方向に装着され、その後に、前記フレームの後面上を前記正規装着位置に向けて前記サブハウジングの挿入方向と交差する方向に摺動して装着されるようになっているところに特徴を有する。
【発明の効果】
【０００７】
＜請求項１の発明＞
フレームの収容室にサブハウジングが挿入されたら、カバーがフレームの後面に沿ってサブハウジングの挿入方向と交差する方向に摺動され、正規装着位置でロックされる。この場合カバーは、その摺動方向については多少のがたつきが出るかも知れないが、サブハウジングの挿入方向と同方向についてはがたつきは出ない。したがって、カバーに設けられた係止部が、正規挿入されたサブハウジングの後面の直後でこれに係止でき、高い信頼性を持って二重係止できる。また、半挿入状態のサブハウジングがあると、カバーの摺動途上において、後方に突出しているサブハウジングの後端部に係止部が突き当たり、半挿入が確実に検知できる。
【０００８】
＜請求項２の発明＞
半挿入のサブハウジングがあった場合、カバーの摺動途上において、係止部が後方に突出しているサブハウジングの後端部に突き当たるが、突当面の少なくとも一方にテーパ状のガイド面が設けられていることで、引き続きカバーを摺動させると、その摺動力の分力によってサブハウジングが正規位置まで挿入され、引き続いて二重係止される。  
カバーの装着に伴い、半挿入のサブハウジングを自動的に正規位置に挿入することができる。
【０００９】
＜請求項３の発明＞
カバーは、初めにフレームの後面における正規装着位置よりも摺動方向の後方に退避した位置に向けて、サブハウジングの挿入方向と同方向に装着され、その後に、フレームの後面上を正規装着位置に向けてサブハウジングの挿入方向と交差する方向に摺動して装着される。  
例えば、フレームを固定部材側に残した状態で、カバーを着脱する場合であって、フレームの側方にカバーの着脱用のスペースが十分に取れない場合にも対応できる。
【発明を実施するための最良の形態】
【００１０】
＜実施形態１＞
本発明の実施形態１を図１ないし図１８によって説明する。
実施形態１では、図１に示すように、互いに嵌合される雌コネクタＦと雄コネクタＭとを備えている。雌コネクタＦは本願の分割コネクタに相当し、雄コネクタＭは本願の相手コネクタに相当するものであり、レバー６０の助勢力を受けて嵌合されるようになっている。  
なお以下では、それぞれのコネクタＦ，Ｍについて、前後方向については嵌合面側を前方とし、左右方向については図２における左右方向とし、幅方向については図８における上下方向として説明する。
【００１１】
雌コネクタＦは、合成樹脂からなるフレーム１０を備えている。このフレーム１０は、全体として横長のブロック状に形成され、その内側中央部には図示４個の収容室１１が配され、その両側には複数の大キャビティ２０および中キャビティ３０がそれぞれ混在した状態で配されている。大キャビティ２０および中キャビティ３０は、詳細には図８に示すように、片側図示２個の大キャビティ２０と図示８個のキャビティ３０とが、左右で点対称の関係をもって配されている。これらのキャビティ２０，３０は、その内部に大きさの異なる雌端子金具（図示しない）が収容可能とされ、この雌端子金具は、前面壁２２，３２によって前止まりがなされるとともに、キャビティ２０，３０内に設けられたランス２１，３１によって弾性的に係止されることで抜止め可能となっている。雌端子金具は、前面開口部２３，３３を通じて雄端子金具（図示しない）の雄タブが雌端子金具の内部に進入可能とされており、雌コネクタＦと雄コネクタＭの電気的接続が可能となっている。
【００１２】
フレーム１０の収容室１１は、前後方向に開口された形状をしており、仕切壁１２を挟んで左右方向に並んで形成されている。各収容室１１内の両端辺部には、サブハウジング４０の挿入方向に沿って一対の突部１９が突設されており、サブハウジング４０が正規位置まで挿入されると、係止突縁４２の前端面が突部１９の後端部に形成された突き当て部１４と係止してサブハウジング４０の前止まりを行う。また、突部１９の前端部には、一対の抜止部１３，１３が撓み可能に設けられている。この抜止部１３の先端中央には、解除片１６が突出して形成されている。両抜止部１３，１３は後述するサブハウジング４０の係止突部４１と係止して、サブハウジング４０の抜け止めを果たす。また、フレーム１０の後端縁には、図８に示すように、左から３個のサブハウジング４０における右列のキャビティ５０の幅方向両側において、図示６箇所のストッパ壁１５が後方へ突出形成されている。ただし、この実施形態においては、ストッパ壁１５は、４つの収容室１１のうち左から３つのものに設けられている。
【００１３】
次にサブハウジング４０について説明すると、サブハウジング４０は収容室１１の後面側から挿入可能であり、合成樹脂製にて、全体として横長のブロック状に形成されている。各サブハウジング４０は、複数列のキャビティを上下２段に備えており、その内部には、雌端子金具５５を弾性的に係止させるランス５１が上下に背中合わせ状態で形成されている。また、サブハウジング４０の上下両面には、図１８に示すように、ヒンジ縁５６にて開閉可能に接続された一対にリテーナ５４，５４が設けられている。両リテーナ５４，５４には、各雌端子金具５５に対応して、係止突起５３が突出形成されており、リテーナ５４が、サブハウジング４０に対し、閉じられた状態にあるときに雌端子金具５５と係止突起５３が係止するようになっている。
【００１４】
また、サブハウジング４０は図１３、図１４において、図示上段側半分は、下段側に比べて、幅狭に形成されている。図示上段側の幅方向両側面であって、その前端部には、前述した係止突部４１が上下に分かれて設けられている。係止突部４１はともに抜止部１３に引っ掛かり、上下にわかれた係止突部４１の間に解除片１６が臨み、図示しない解除治具にて解除片１６を操作することによりサブハウジング４０に対する抜止部１３の係止解除を可能にしている。さらに、上段側の幅方向両側面であって、その後端部には、一対の係止突縁４２，４２が配されている。両係止突縁４２，４２の幅方向の張り出し寸法は、サブハウジング４０の下段側の幅寸法とほぼ同一となっているとともに、両係止突縁４２，４２の上端は、サブハウジング４０の上段側の上面とほぼ面一をなしている。係止突縁４２の後面上部は、水平面４２Ａとされ、サブハウジング４０の後面から切り立って前方へ引っ込んで形成されている。係止突縁４２の後面下部は、緩やかな傾斜面（ガイド面４２Ｂ）をもってサブハウジング４０の後面に連続している。サブハウジング４０の前後長は、収容室１１の前後長と同一に設定されており、正規位置においては、サブハウジング４０の前端面が、収容室１１の前端面と面一をなすとともに、サブハウジング４０の後端面が、収容室１１の後端面と面一をなすようにされている。
【００１５】
さて、フレーム１０の後面部にはカバー７０が取り付け可能となっている。カバー７０は、図２および図８に示すように、合成樹脂製で、フレーム１０の後面部を覆うような中空構造となっており、天井面７４の左側部分が左方向にかけて下り勾配をなすように形成されている。カバー７０は、フレーム１０への取り付けにあたり、まずフレーム１０の退避位置（図３および図６の示す位置）に対し後方における位置（図２および図５に示す位置、以下単に後方位置という）から退避位置に向けて前方に押し込み、次に退避位置から正規装着位置（図４および図７に示す位置）に向けてフレーム１０の後面上を右方向へ摺動させる。
【００１６】
カバー７０の内側面には、図８に示すように、図示８個の係止部７１と図示４個のロックアーム７２とが幅方向両側面７５，７５においてそれぞれ一体形成されている。ロックアーム７２は、図５〜図７に示すように、天井面７４および両側面７５，７５に接続されつつフレーム１０側に向けて延出され、カバー７０の前端縁よりもさらにフレーム１０側に突出するように形成された後、前端部分で９０°向きを変えてカバー７０の操作方向（図６の右方向）へ延長形成することで、全体としてＬ字形に形成されている。この屈曲部分では撓み変形が可能であるとともに、その先端部分にはロック突部７２Ａが設けられている。ロックアーム７２は、カバー７０がフレーム１０に対し退避位置にあるときに、フレーム１０の大中のキャビティ２０，３０が設けられている部分の幅方向両側面を挟み付けることができるようになっており、これにより、幅方向の位置決めを行うことができる。ロック突部７２Ａは、カバー７０が退避位置にある状態においては、ロック受け部１８の左方（カバー７０の操作方向に関し後方）に位置している。カバー７０が正規装着位置に至ったときには、図７に示すように、ロック突部７２Ａがロック受け部１８に弾性的に係止して、カバー７０が退避位置へ戻るのを規制する。また、ロック受け部１８は、図１１に示すように、下面部分が幅方向内側に向けられている一方で、ロック突部７２Ａの上面部分は幅方向外側に向けられ、これらは正規装着位置において、お互いに係止し合っているため、カバー７０の幅方向両側面の幅方向への開き止めおよび後方への抜け止めを行うことができる。
【００１７】
係止部７１は断面略方形の柱状をなし、図２〜図５に示すように、左右のロックアーム７２によって挟まれた長さ範囲内において、それぞれ等間隔毎に、かつそれぞれ平行に配されている。各係止部７１は、天井面７４およびカバー７０の両側面７５，７５に接続されており、その前端７１Ａはカバー７０の前端縁よりもやや内方へ引っ込んだ位置になっている。そして、カバー７０をフレーム１０に対し、退避位置にセットした状態では、各係止部７１の前端７１Ａがフレーム１０の幅方向両側面における後面側に当接し、退避位置から正規装着位置へ移動する間は摺接する。各係止部７１は、既述したように、フレーム１０の各収容室１１に対応して設けられている。また、カバー７０が退避位置にあるときには、収容室１１内に収容された各サブハウジング４０の水平部４２Ａの後方に位置するように設定されている。従って、サブハウジング４０が収容室１１に対して不完全な収容状態である半挿入のときには、カバー７０を退避位置に装着する過程で、係止部７１の前端７１Ａにて水平部４２Ａが収容室１１の開口縁と面一になるまで押し込み可能である（以下、この状態を一次矯正状態という）。そのとき、前端７１Ａがフレーム１１の開口縁上に当接し、これによってカバー７０全体がフレーム１１上に支持される。また、カバー７０が退避位置にあるときには、図８に示すように、右から３つの係止部７１の前端７１Ａがストッパ壁１５の図示右端に位置決めされる。また、カバー７０が退避位置にあるときには、図６に示すように、カバー７０の左端部内面が、フレーム１１の後面側左端部中央に配された戻り止め突部７６の左方に位置している。
【００１８】
カバー７０が退避位置から正規装着位置に至るときには、係止部７１がフレーム１１の開口縁上を摺接し、図８に示すそれぞれの右方に隣接するストッパ壁１５に当接することにより、カバー７０が正規装着位置に規制されるようになっている。この間において、サブハウジング４０が既に収容室１１に正規の深さまで挿入されていたら、係止部７１の前端７１Ａはサブハウジング４０の後端面上を摺接し、従って、カバー７０が正規装着位置に至ると、サブハウジング４０は抜け止め状態となって、二重係止される。しかし、サブハウジング４０が収容室１１に対して上述した一次矯正状態にある場合には、カバー７０が退避位置から正規装着位置に移動する間にガイド面４２Ｂ上を移動するため、サブハウジング４０に押し込み力を付与することができる。また、この間において、カバー７０の左端部内面が戻り止め突部７６を撓み変形しつつ乗り越えて、弾性復帰することにより、カバー７０の戻り止めが規制可能となっている。
【００１９】
続いて、実施形態１の作用について説明する。雌コネクタＦを組み立てるには、あらかじめサブハウジング４０の両リテーナ５４，５４を開放状態にしておき、その状態でキャビティ５０内に雌端子金具５５を挿入すると、この雌端子金具５５はランス５１によって一次係止される。この後、リテーナ５４を閉じてやれば、雌端子金具５５はリテーナ５４およびランス５１によって二重係止される。そして、このサブハウジング４０をフレーム１０の後面側から各収容室１１内に挿入し、サブハウジング４０の前端面がフレーム１０の前端面と面一をなすまで押し込む。このとき、サブハウジング４０は、係止突部４１が抜止部１３に係止して、正規位置に保持される。また、上記作業に先立ってあるいはその後に、大きさの異なる２種類の雌端子金具（図示しない）を大キャビティ２０および中キャビティ３０に後方から挿入すると、前面壁２２，３２によって前止まりがなされるとともに、ランス２１，３１によって後方への抜止めがなされる。
【００２０】
次にフレーム１０の後方から引き出されている電線を束ねてカバー７０の内部に収めた状態で、カバー７０をフレーム１０の後面側に取り付ける。このときカバー７０は、図２に示す後方位置から図３に示す退避位置に宛う。この退避位置においては、ロックアーム７２は、フレーム１０の大中のキャビティ２０，３０が設けられている部分の幅方向両側面であってロック受け部１８の左方に位置し、係止部７１は、図８に示すように、右から３つの係止部７１の先端７１Ａがストッパ壁１５の図示右隣においてフレーム１０の後面およびサブハウジング４０の後面にほぼ当接した状態で配置される。この後、カバー７０の前端縁がフレーム１０の後面に当接した状態のまま、カバー７０を右方向へ摺動させると、係止部７１はフレーム１０の開口縁上を摺接する。同時に、図８に示すそれぞれの右方に隣接するストッパ壁１５に当接する。これにより、カバー７０は正規装着位置に規制され、図７に示すようにロック突部７２Ａがロック受け部１８に弾性的に係止して、カバー７０が退避位置へ戻るのを規制する。さらに、この間において、カバー７０の左端部内面が戻り止め突部７６を撓み変形しつつ乗り越えて、弾性復帰することにより、カバー７０の戻り止めが規制可能である。また、ロック受け部１８は、図１１に示すように、ロック突部７２Ａとは、お互いに係止し合っているため、カバー７０の幅方向両側面の幅方向への開き止めを行うことができる。例えば、電線が幅方向に振られた場合に、カバー７０の壁面を拡開させようとする力が作用するが、ロック受け部１８とロック突部７２Ａの係止によって上記した力に抗することができる。
【００２１】
一方、カバー７０の取付前において、半挿入状態のサブハウジング４０が存在する場合には、カバー７０を図２に示す後方位置から図３に示す退避位置へ宛う際において、係止部７１の前端７１Ａが、係止突縁４２の水平面４２Ｂに当接し、そのまま押し込みがなされる。カバー７０が退避位置にある状態では、係止部７１の前端７１Ａはフレーム１０の開口縁上に当接しているため、水平面４２Ｂとフレーム１０の開口縁とが面一をなして、一次矯正状態となる。この後、カバー７０を正規装着位置へ摺動させると、係止部７１の前端７１Ａがガイド面４２Ｂに当接し、サブハウジング４０を前方へ押し込む方向に分力が働く。さらにこのままカバー７０を摺動させると、サブハウジング４０は正規位置にまで挿入されるとともに、係止部７１の前端７１Ａによって二重係止される。
【００２２】
以上の説明から明らかなように本実施形態によれば、次のような作用効果を発揮することができる。すなわち、サブハウジング４０がフレーム１０に対して半挿入状態で収容されていたとしても、カバー７０の装着によって正規の状態に矯正することができる。この場合において、カバー７０はサブハウジング４０の挿入方向と直交する方向に操作して装着がなされるため、仮にカバー７０とフレーム１０の間において、左右方向のがたつきが生じたとしても、前後方向に関してのがたは生じないため、係止部７１がサブハウジング４０に対して隙間なく当接させることができるため、サブハウジング４０の対する半挿入検知が確実であるとともに、サブハウジング４０に対する二重係止を確実に機能させることができる。ロックアーム７２が退避位置への戻り止めと開き止めの機能を兼用しているため、カバー７０の構造を簡素化することができた。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）実施形態１では、雌コネクタ側にカバーを取り付ける構成としたが、雄コネクタ側にカバーを取り付ける構成としても適用可能である。
【００２４】
（２）実施形態１では、サブハウジングが１種類だけのものを例示したが、複数種類のサブハウジングを含む分割コネクタにも適用可能である。
【００２５】
（３）実施形態１では、カバーの取り付けに伴って、半挿入状態のサブハウジングを自動で押し込む機構を備えた分割コネクタを例示したが、カバーの取り付け方向が、サブハウジングの挿入方向と直交する向きに形成されているものであれば、自動で押し込む機能を備えていない分割コネクタであってもよい。
【００２６】
（４）実施形態１では、半挿入を矯正するためのガイド面は、サブハウジング側に設ける場合に限らず、係止部側に設けてもよい。
【００２７】
（５）実施形態１では、サブハウジングを二重係止する係止部を天井面から前縁に至るまでリブ状に設けたものを例示したが、機能上は先端部分のみに存すればよい。ただ、本実施形態のようにリブ状に設けたものでは、カバーの補強という機能も発揮される。
【図面の簡単な説明】
【００２８】
【図１】雌コネクタと雄コネクタとの嵌合前における側面図
【図２】カバー装着前における雌コネクタの縦断面図
【図３】カバーが退避位置にあるときの雌コネクタの縦断面図
【図４】カバーが正規装着位置にあるときの雌コネクタの縦断面図
【図５】カバー装着前における雌コネクタの一部切り欠き側面図
【図６】カバーが退避位置にあるときの雌コネクタの一部切り欠き側面図
【図７】カバーが正規装着位置にあるときの雌コネクタの一部切り欠き側面図
【図８】カバーが退避位置にあるときの雌コネクタの横断面図
【図９】カバーが正規装着位置にあるときの雌コネクタの横断面図
【図１０】サブハウジングの縦断面図
【図１１】カバーが仮係止状態にあるときの雌コネクタの一部切り欠き正面図
【図１２】サブハウジングの側面図
【図１３】サブハウジングの正面図
【図１４】サブハウジングの底面図
【図１５】フレームの底面図
【図１６】図１５におけるXVI−XVI線断面図
【図１７】フレームの平面図
【図１８】フレームとサブハウジングの係止状態を示すフレームの側断面図
【符号の説明】
【００２９】
１０…フレーム
１１…収容室
１３…抜止部
１８…ロック受け部（ロック機構）
４０…サブハウジング
４２Ｂ…ガイド面
５５…雌端子金具（端子金具）
７１…係止部
７０…カバー
７２…ロックアーム（ロック機構）
Ｆ…雌コネクタ
【図１】
2006185771.tif 000003
【図２】
2006185771.tif 000004
【図３】
2006185771.tif 000005
【図４】
2006185771.tif 000006
【図５】
2006185771.tif 000007
【図６】
2006185771.tif 000008
【図７】
2006185771.tif 000009
【図８】
2006185771.tif 000010
【図９】
2006185771.tif 000011
【図１０】
2006185771.tif 000012
【図１１】
2006185771.tif 000013
【図１２】
2006185771.tif 000014
【図１３】
2006185771.tif 000015
【図１４】
2006185771.tif 000016
【図１５】
2006185771.tif 000017
【図１６】
2006185771.tif 000018
【図１７】
2006185771.tif 000019
【図１８】
2006185771.tif 000020